(57)【要約】【課題】簡単な作業によって短時間にスナップリングを穴に装着する。【解決手段】可動部材２０は、ベース部材１０の挿通孔２に挿入されスライド移動自在に支持される。挿通孔２は、一端開口３の近傍にリング収容領域５を有し、ベース部材１０は、リング収容領域５の内径を一端開口３に向かって徐々に縮径させるテーパ状の内周面１３を有する。可動部材２０のリング押圧端面２３は、可動部材２０の一方向への移動によって一端開口３から外部へ突出し、他方向への移動によって一端開口３から挿通孔２に没入する。他方向へのリング押圧端面２３の可動範囲は、リング挿入孔１４を超えた待機位置を含む。待機位置から一方向へ移動するリング押圧端面２３は、リング挿入孔１４からリング収容領域５に挿入されたスナップリング３０に一端開口３の反対側から当接し、スナップリング３０を一端開口３に向かって移動させて一端開口３から外部へ押し出す。【選択図】図１
2013116527.tif 000002
【特許請求の範囲】
【請求項１】
一端開口から直線状に延びる挿通孔を有するベース部材と、
前記挿通孔に挿入されてスライド移動自在に支持される可動部材と、を備え、
前記挿通孔は、前記一端開口の近傍にリング収容領域を有し、
前記ベース部材は、前記リング収容領域の内径を前記一端開口に向かって徐々に縮径させるテーパ状の内周面と、前記リング収容領域と外部とを連通して該リング収容領域へのスナップリングの挿入を許容するリング挿入孔と、を有し、
前記リング挿入孔から前記リング収容領域に挿入されたスナップリングは、ほぼ全周域において前記テーパ状の内周面と接触し、
前記可動部材は、前記ベース部材に対する前記可動部材の一方向への移動によって前記一端開口から外部へ突出するとともに、前記可動部材の他方向への移動によって前記一端開口から前記挿通孔に没入する一端側のリング押圧端面と、前記ベース部材の外部に露出する他端側の被操作端面とを有し、
前記他方向への前記リング押圧端面の可動範囲は、前記リング挿入孔を超えた待機位置を含み、
前記待機位置から前記一方向へ移動する前記リング押圧端面は、前記リング収容領域に挿入されたスナップリングに前記一端開口の反対側から当接し、該スナップリングを前記一端開口に向かって移動させて該一端開口から外部へ押し出す
ことを特徴とするスナップリングの装着冶具。
【発明の詳細な説明】
【技術分野】
【０００１】
本発明は、スナップリングの装着冶具に関する。
【背景技術】
【０００２】
一般に、Ｃ形状のスナップリング（止め輪）を穴に装着する作業には、スナップリングプライヤーが使用される。スナップリングプライヤーは、一端側の１対のグリップ部と、他端側の１対の先端係止部とを有する。作業者は、スナップリングプライヤーの先端係止部をスナップリングの両端に形成された係合孔に挿入し、スナップリングプライヤーのグリップ部を握り締め、スナップリングを弾性変形によって縮径させ、穴内の所定位置にスナップリングを挿入して、グリップ部の握り力を弱める。これにより、スナップリングが復元して拡がり、穴の内周面にスナップリングが嵌合する。
【先行技術文献】
【特許文献】
【０００３】
【特許文献１】特開２０１０−１２５３６号公報
【特許文献２】特開平１０−５７４号公報
【発明の概要】
【発明が解決しようとする課題】
【０００４】
しかし、上記スナップリングプライヤーを使用した作業では、装着前の縮径状態のスナップリングがスナップリングプライヤーから外れると、スナップリングが復元力によって飛んでしまい、紛失してしまう可能性がある。このため、作業者は、スナップリングがスナップリングプライヤーから外れないように、スナップリングを慎重に穴に挿入しなければならず、装着作業が煩雑となり、且つ時間を要してしまう。
【０００５】
そこで、本発明は、簡単な作業によって短時間にスナップリングを穴に装着することが可能なスナップリングの装着冶具の提供を目的とする。
【課題を解決するための手段】
【０００６】
上記目的を達成すべく、本発明の装着冶具は、一端開口から直線状に延びる挿通孔を有するベース部材と、挿通孔に挿入されてスライド移動自在に支持される可動部材と、を備える。
【０００７】
挿通孔は、一端開口の近傍にリング収容領域を有する。ベース部材は、テーパ状の内周面とリング挿入孔とを有する。テーパ状の内周面は、リング収容領域の内径を一端開口に向かって徐々に縮径させる。リング挿入孔は、リング収容領域と外部とを連通して、リング収容領域へのスナップリングの挿入を許容する。リング挿入孔からリング収容領域に挿入されたスナップリングは、ほぼ全周域においてテーパ状の内周面と接触する。
【０００８】
可動部材は、リング押圧端面と被操作端面とを有する。リング押圧端面は、可動部材の一端側に設けられ、ベース部材に対する可動部材の一方向への移動によって一端開口から外部へ突出するとともに、可動部材の他方向への移動によって一端開口から挿通孔に没入する。被操作端面は、可動部材の他端側に設けられ、ベース部材の外部に露出する。他方向へのリング押圧端面の可動範囲は、リング挿入孔を超えた待機位置を含む。
【０００９】
待機位置から一方向へ移動するリング押圧端面は、リング収容領域に挿入されたスナップリングに一端開口の反対側から当接し、スナップリングを一端開口に向かって移動させて一端開口から外部へ押し出す。
【００１０】
また、上記装着冶具において、挿通孔は、ベース部材の上記一端開口から他端開口まで直線状に延びてもよく、被操作端面は、他端開口から外部へ突出してもよい。
【００１１】
上記構成を有する装着冶具を用いてスナップリングを穴に装着する場合、作業者は、ベース部材を一方の手で把持し、可動部材を待機位置に設定し、スナップリングをリング挿入孔からリング収容領域に挿入する。リング挿入孔からリング収容領域に挿入されたスナップリングは、ほぼ全周域においてテーパ状の内周面と接触する。
【００１２】
次に、穴とリング収容領域とが直線状に連通するようにベース部材の一端開口を穴の先端開口に合わせ、可動部材の被操作端面をハンマー等によって殴打し、可動部材を一方向へ移動させる。リング収容領域に挿入されたスナップリングは、待機位置から一方向へ移動するリング押圧端面に一端開口の反対側から押圧され、テーパ状の内周面によって縮径されながら一端開口に向かって移動し、一端開口から外部へ押し出されて穴に進入する。そして、リング押圧端面によってさらに押圧されて、穴の内周面に沿って移動し、穴のリング収容溝に嵌合する。
【００１３】
従って、作業中にスナップリングの紛失等が発生し難く、簡単な作業によって短時間にスナップリングを穴に装着することができる。
【発明の効果】
【００１４】
本発明の装着冶具によれば、簡単な作業によって短時間にスナップリングを穴に装着することができる。
【図面の簡単な説明】
【００１５】
【図１】本発明の一実施形態に係る装着冶具の要部を断面で示す側面図である。
【図２】図１の要部を拡大して示す側面図である。
【図３】図２の外観斜視図である。
【図４】装着冶具の他の例を示す側断面図である。
【発明を実施するための形態】
【００１６】
以下、本発明の一実施形態を図面に基づいて説明する。なお、以下の説明において、上下方向は、図１の上下方向に対応する。
【００１７】
図１〜図３に示すように、装着冶具１は、ベース部材１０と可動部材２０とを備える。
【００１８】
ベース部材１０は、一側（下側）のリング収容部１１と他側（上側）のベース本体１２とを有する。リング収容部１１とベース本体１２とは、それぞれ上下方向に貫通する円筒形状であり、両者の内径部分が挿通孔２として連通した状態で、リング収容部１１がベース体１２の下端部に固着されている。挿通孔２は、リング収容部１１の下端の一端開口３とベース本体１２の上端の他端開口４との間を上下方向に直線状に貫通する。
【００１９】
挿通孔２は、一端開口３の近傍にリング収容領域５を有する。リング収容領域５は、リング収容部１１の内周面１３によって区画され、内周面１３は、リング収容領域５の内径を一端開口３に向かって徐々に縮径させるテーパ形状を有する。
【００２０】
リング収容部１１の周壁には、周方向に沿った横孔状のリング挿入孔１４が形成されている。リング挿入孔１４は、リング収容領域５と外部とを連通し、リング収容領域５へのスナップリング（止め輪）３０の挿入を許容する。リング挿入孔１４からリング収容領域５に挿入されたスナップリング３０は、ほぼ全周域においてテーパ状の内周面１３と接触する。
【００２１】
可動部材２０は、一側（下側）の細径部２１の上端と他側（上側）の太径部２２の下端とが連続する棒体状である。細径部２１は、他端開口４から挿通孔２に挿入され、ベース本体１２に上下のブッシュ２５を介してスライド移動自在に支持される。可動部材２０は、その一端部にリング押圧端面（細径部２１の下端面）２３を有し、他端部に被操作端面（太径部２２の上端面）２４を有する。太径部２２の外径は、挿通孔２の内径よりも大きく、被操作端面２４を含む太径部２２は、他端開口４から上方に突出し、ベース部材１０の外部に常時露出する。
【００２２】
リング押圧端面２３は、ベース部材１０に対する可動部材２０（細径部２１）の一方向（下方）への移動によって一端開口３から外部へ突出するとともに、可動部材２０の他方向（上方）への移動によって一端開口３から挿通孔２に没入する。上方へのリング押圧端面２３の可動範囲は、リング挿入孔１４を超えた（リング挿入孔１４よりも上方の）待機位置（図２中に２点鎖線で示す位置）を含む。
【００２３】
スナップリング３０は、Ｃ形状の弾性体であり、その両端に係合孔３１が形成されている。なお、これらの係合孔３１は、装着冶具１による装着作業では使用されないが、スナップリングプライヤー（図示省略）による取り外し作業において使用される。
【００２４】
リング押圧端面２３の外径Ｄ１と、一端開口３の内径Ｄ２と、可動体リング収容領域５に挿入された自然長のスナップリング３０の外径Ｄro及び内径Ｄriとは、Ｄri＜Ｄ１＜Ｄ２＜Ｄroに設定されている。
【００２５】
待機位置から一方向へ移動するリング押圧端面２３は、リング収容領域５に挿入されたスナップリング３０に上方（一端開口３の反対側）から当接し、スナップリング３０を一端開口３に向かって下方へ移動させて、一端開口３から外部へ押し出す。
【００２６】
装着冶具１を用いてスナップリング３０を装着対象の穴３２に装着する場合、作業者は、ベース部材１０を一方の手で把持し、可動部材２０を待機位置に設定し、スナップリング３０をリング挿入孔１４からリング収容領域５に挿入する。リング挿入孔１４からリング収容領域５に挿入されたスナップリング３０は、ほぼ全周域においてテーパ状の内周面１３と接触する。
【００２７】
次に、穴とリング収容領域５とが直線状に連通するようにベース部材１０の一端開口３を穴３２の先端開口３３に合わせる。本実施形態のリング収容部１１の下端外周は下方に向かって先細りするテーパ形状を有し、穴３２の先端開口３３側は上方に向かって拡径するテーパ形状を有するため、リング収容部１１の下端と穴３２の先端開口３３との位置合わせを容易に行うことができる。
【００２８】
次に、可動部材２０の被操作端面２４をハンマー等によって殴打し、可動部材２０を一方向へ移動させる。リング収容領域５に挿入されたスナップリング３０は、待機位置から一方向へ移動するリング押圧端面２３によって下方へ押圧され、テーパ状の内周面１３によって縮径されながら一端開口３に向かって移動し、一端開口３から外部へ押し出されて先端開口３３から穴３２に進入する。そして、リング押圧端面２３によってさらに押圧されて、穴３２の内周面に沿って下方へ移動し、穴３２のリング収容溝３４に嵌合する。
【００２９】
従って、作業中にスナップリング３０の紛失等が発生し難く、簡単な作業によって短時間にスナップリング３０を穴に装着することができる。
【００３０】
以上、本発明について、上記実施形態に基づいて説明を行ったが、本発明は上記実施形態の内容に限定をされるものではなく、当然に本発明を逸脱しない範囲では適宜の変更が可能である。
【００３１】
例えば、図４に示す装着冶具６では、リング収容部１１がベース本体１２に一体形成され、ベース本体１２の上部には、上下方向に延びる複数の溝１５が形成されている。可動部材２０には、太径部２２（図１に示す）に代えて、ベース部材１０の上端部分を覆うＵ状断面の被操作部２６と、各溝１５を挿通して被操作部２６と細径部２１の上端部とを連結する複数の連結軸２７とが設けられ、被操作部２６の上面が被操作面２４となる。
【符号の説明】
【００３２】
１，６：装着冶具
２：挿通孔
３：一端開口
４：他端開口
５：リング収容領域
１０：ベース部材
１１：リング収容部
１２：ベース本体
１３：テーパ状の内周面
１４：リング挿入孔
２０：可動部材
２１：細径部
２２：太径部
２３：リング押圧端面
２４：被操作端面
３０：スナップリング（止め輪）
３２：穴
Ｄ１：リング押圧端面の外径
Ｄ２：一端開口の内径
Ｄro：自然長のスナップリングの外径
Ｄri：自然長のスナップリングの内径
【図１】
2013116527.tif 000003
【図２】
2013116527.tif 000004
【図３】
2013116527.tif 000005
【図４】
2013116527.tif 000006